(57)【要約】【課題】本発明は、複数のログインを許可するとともに、ログアウト忘れを防止する。【解決手段】画像処理装置１のログイン管理部４０は、手入力ログイン機能部３２、カードログイン機能部３３から受け付けたユーザの認証情報を、認証制御部３１に基づいてログインを許可するか否かを制御し、ログイン状態管理部１１が、認証制御部３１によるログインが許可されたユーザのログイン状態を管理して、該ログインを許可されたユーザよりも先にログインを許可されたユーザのログイン状態が継続している場合、先にログインを許可された該ユーザのログイン状態をログアウトさせる。【選択図】          図１
2014059721.tif 000002
【特許請求の範囲】
【請求項１】
ユーザの認証情報の入力を受け付ける認証情報受付手段と、
前記認証情報受付手段の受け付けた認証情報に基づいてログインを許可するか否かを制御する認証制御手段と、
前記認証制御手段によるログインが許可されたユーザのログイン状態を管理し、該認証制御手段によってログインを許可されたユーザよりも先にログインを許可されたユーザのログイン状態が継続している場合、先にログインを許可された該ユーザのログイン状態をログアウトさせるログイン状態管理手段と、
を備えていることを特徴とするログイン管理装置。
【請求項２】
前記ログイン状態管理手段は、
前記認証制御手段から該認証制御手段によってログインが許可されたユーザの情報の通知を受け取って、該情報を管理することと、該認証制御手段から該認証制御手段によってログインが許可されたユーザの情報の通知を受け取ると、先にログインが許可されたユーザのログイン状態を検知することのうち、少なくともいずれかによって、該ユーザのログイン状態を管理することを特徴とする請求項１記載のログイン管理装置。
【請求項３】
前記認証情報受付手段は、
認証情報が手操作で入力される手操作認証情報受付手段と、
認証情報の記録されている携帯記録媒体から該認証情報を読み取る媒体認証情報受付手段と、
を備えていることを特徴とする請求項１または請求項２記載のログイン管理装置。
【請求項４】
前記媒体認証情報受付手段は、
認証情報の記録されている前記携帯記録媒体が挿入されると該認証情報を読み取り、
前記認証制御手段は、
前記媒体認証情報受付手段によるログインについては、前記携帯機録媒体が該媒体認証情報受付手段に挿入状態にある間のみ許可することを特徴とする請求項３記載のログイン管理装置。
【請求項５】
前記ログイン管理装置は、
所定の情報を報知出力する報知手段を備えており、
前記ログイン状態管理手段は、
先にログインしているユーザのログイン状態を解除すると、前記報知手段から該ユーザのログイン状態を解除した旨を報知出力させることを特徴とする請求項１から請求項４のいずれかに記載のログイン管理装置。
【請求項６】
前記ログイン管理装置は、
前記ログイン状態管理手段による先にログインしているユーザをログアウトさせるログアウト機能の有効／無効を設定する設定手段を備えており、
前記ログイン状態管理手段は、
前記設定手段で前記ログアウト機能が有効に設定されているときにのみ、該ログアウト機能を実行することを特徴とする請求項１〜請求項５のいずれかに記載のログイン管理装置。
【請求項７】
ユーザのログインを管理するログイン管理部を備え、該ログイン管理部がログインを許可したユーザのみが各種画像処理機能を利用可能な画像処理装置であって、
前記ログイン管理部として、請求項１〜請求項６のいずれかに記載のログイン管理装置を備えていることを特徴とする画像処理装置。
【請求項８】
ユーザの認証情報の入力を受け付ける認証情報受付処理ステップと、
前記認証情報受付処理ステップの受け付けた認証情報に基づいてログインを許可するか否かを制御する認証制御処理ステップと、
前記認証制御処理ステップでログインが許可されたユーザのログイン状態を管理し、該認証制御処理ステップでログインを許可されたユーザよりも先にログインを許可されたユーザのログイン状態が継続している場合、先にログインを許可された該ユーザのログイン状態をログアウトさせるログイン状態管理処理ステップと、
を有していることを特徴とするログイン管理方法。
【請求項９】
コンピュータに、
ユーザの認証情報の入力を受け付ける認証情報受付処理と、
前記認証情報受付処理の受け付けた認証情報に基づいてログインを許可するか否かを制御する認証制御処理と、
前記認証制御処理でログインが許可されたユーザのログイン状態を管理し、該認証制御処理でログインを許可されたユーザよりも先にログインを許可されたユーザのログイン状態が継続している場合、先にログインを許可された該ユーザのログイン状態をログアウトさせるログイン状態管理処理と、
を実行させることを特徴とするログイン管理プログラム。
【発明の詳細な説明】
【技術分野】
【０００１】
本発明は、ログイン管理装置、画像処理装置、ログイン管理方法及びログイン管理プログラムに関し、詳細には、複数のログインを許可するとともに、ログアウト忘れを防止するログイン管理装置、画像処理装置、ログイン管理方法及びログイン管理プログラムに関する。
【背景技術】
【０００２】
複写装置、プリンタ装置、ファクシミリ、スキャン装置等あるいはこれらのうち複数の機能を一つの筐体とした複合機、コンピュータ等の情報を処理する機能を有する情報処理装置においては、ユーザを認証した後に、ログインを許可して各種アクセスを認めるユーザ認証方式を採用して、セキュリティを確保しているものが多い。
【０００３】
また、ログインにおいては、例えば、複合機等の画像処理装置の操作表示部のように、複数のユーザが共有利用するにも関わらず、１人のユーザのみが操作画面を占有する機器においては、従来、ログインを一人のユーザのみに認め、先に、ログインを行っているユーザが存在するときには、ログインを許可しない単独ログイン方式が採用されている。
【０００４】
ところが、単独ログイン方式の場合、複数のユーザの並行利用や複数のユーザによる複数のジョブの並行実行を行うことができず、先にログインしたユーザが、ログアウトするのを忘れたままでいると、その後に、他のユーザがログインすることのできない状態が継続されてしまい、利用性が悪いという問題があった。
【０００５】
そして、従来、情報処理装置にログインして当該情報処理装置の画面を占有しているユーザのログインを維持したままで、新たなユーザのログインを許すような情報処理装置であって、当該情報処理装置にログインして当該情報処理装置の画面を占有している第１のユーザのログインを維持したままで、新たな第２のユーザを当該情報処理装置にログインさせて該第２のユーザに当該情報処理装置の画面を占有させるログイン処理手段と、当該情報処理装置にログインして当該情報処理装置の画面を占有している第１のユーザのログインを維持したままで、前記第１のユーザによる当該情報処理装置の画面の占有をさせない状態とする裏移行処理を行う裏移行処理手段とを備え、前記第１のユーザのジョブの処理中に、前記第２のユーザがログイン処理を行った場合、前記第１のユーザのジョブが終了したとき、前記ログイン処理手段により、該第２のユーザに当該情報処理装置の画面を占有させると共に、裏移行処理手段により、前記第１のユーザによる当該情報処理装置の画面の占有をさせない状態とすることを特徴とする情報処理装置が提案されている（特許文献１参照）。
【発明の概要】
【発明が解決しようとする課題】
【０００６】
しかしながら、上記文献記載の従来技術にあっては、複数のユーザがログインを可能にするとともに、画面の操作については、１人のユーザにのみ画面の占有を許可することで、複数ユーザのログインによる画面操作の混乱を防止している。
【０００７】
ところが、この従来技術にあっては、複数のユーザがログインして、１人にのみ画面の占有を許可することはできるが、画面の占有を行わなくても、ログインして、そのままログアウトするのを忘れるユーザがいると、いつまでもログイン状態が継続されるという状態が発生し、セキュリティ管理を適切に行う上で、改良の必要があった。
【０００８】
例えば、装置が、ユーザ認証方式として、ユーザＩＤを手操作で入力する方式と、ユーザＩＤの記録されているＩＤカードをカードリーダに挿入して読み取らせて該ＩＣカードが挿入状態にある間のみログイン状態を維持する方式と、を備えている場合、カードリーダ方式でログインしたユーザは、ＩＤカードを用いることからログアウトを忘れることは少ないが、手操作でユーザＩＤを入力する方式でログインしたユーザは、ログアウトを忘れることがある。このような場合、いつまでもログイン状態が継続されるという状態が発生する。
【０００９】
そこで、本発明は、先にログインしたユーザのログアウトし忘れを防止することを目的としている。
【課題を解決するための手段】
【００１０】
上記目的を達成するために、請求項１記載のログイン管理装置は、ユーザの認証情報の入力を受け付ける認証情報受付手段と、前記認証情報受付手段の受け付けた認証情報に基づいてログインを許可するか否かを制御する認証制御手段と、前記認証制御手段によるログインが許可されたユーザのログイン状態を管理し、前記認証制御手段によってログインを許可されたユーザよりも先にログインを許可されたユーザのログイン状態が継続している場合、先にログインを許可された該ユーザのログイン状態をログアウトさせるログイン状態管理手段と、を備えていることを特徴としている。
【発明の効果】
【００１１】
本発明によれば、先にログインしたユーザのログアウトし忘れを防止することができる。
【図面の簡単な説明】
【００１２】
【図１】本発明の一実施例を適用した画像処理装置の要部ブロック構成図。
【図２】ログイン管理処理を示すフローチャート。
【図３】ログイン管理処理のシーケンス図。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図３は、本発明のログイン管理装置、画像処理装置、ログイン管理方法及びログイン管理プログラムの一実施例を示す図であり、図１は、本発明のログイン管理装置、画像処理装置、ログイン管理方法及びログイン管理プログラムの一実施例を適用した画像処理装置１の要部ブロック構成図である。
【００１５】
図１において、画像処理装置１は、複合機、プリンタ装置、複写装置、スキャナ装置等の画像を取り扱う装置であり、動作制御部１０、Ｉ／Ｆ（インターフェイス）２０、認証部３０等を備えているとともに、図示しないが、操作表示部、エンジン部等を備えている。Ｉ／Ｆ２０は、動作制御部１０と認証部３０とを接続して、信号とデータを授受する。
【００１６】
なお、画像処理装置１では、動作制御部１０は、ｊａｖａのプラットフォーム上で動作するアプリケーションによって各種動作機能を処理させることが多く、この場合、認証部３０との間をＶＡＳ（Virtual Application Service ）が介在する。
【００１７】
操作表示部は、画像処理装置に各種命令を入力操作するキーや各種情報を表示するディスプレイ等を備えている。操作表示部は、後述する報知手段として機能する。
【００１８】
エンジン部は、画像処理装置１の画像処理を実行するスキャナ、プリンタ、ファクシミリ等の各種画像処理動作の実行部であり、動作制御部１０の制御下で動作処理する。
【００１９】
動作制御部１０は、例えば、ＣＰＵ（Central Processing Unit）、ＲＯＭ（Read Only Memory）、ＲＡＭ（Random Access Memory）、ＡＳＩＣ（Application Specific Integrated Circuit）等を備えており、ＲＯＭには、画像処理装置１としての基本プログラムや本発明のログイン管理プログラム及びその他のデータ等が格納されている。動作制御部１０は、ＣＰＵが、ＲＯＭ内のプログラムに基づいて、ＲＡＭをワークメモリとして利用しつつ画像処理装置１の各部を制御して画像処理装置１としての基本処理を実行するとともに、本発明のログイン管理処理を実行する。ＡＳＩＣは、主に、画像処理に用いられ、画像フォーマット変換処理、画像回転処理、画像拡縮処理等を行う。
【００２０】
すなわち、画像処理装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明のログイン管理方法を実行するログイン管理プログラムを読み込んで図示しないＲＯＭやハードディスク等に導入することで、後述する複数ログインを許可するとともに、ログアウト忘れを防止するログイン管理方法を実行するログイン管理部を備えた画像処理装置として構築されている。このログイン管理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２１】
そして、画像処理装置１は、上記ログイン管理プログラムが導入されることで、動作制御部１０に、ログイン状態管理部１１が構築され、認証部３０に、認証制御部３１、手入力ログイン機能部３２とカードログイン機能部３３が構築される。
【００２２】
ログイン状態管理部（ログイン状態管理手段）１１は、認証部３０によってログインが許可されたユーザのログイン状態を管理し、該ログインが許可されたユーザよりも先にログインを許可されたユーザのログイン状態が継続していると、先にログインを許可されたユーザのログイン状態をログアウトさせるログイン状態管理処理を行う。
【００２３】
手入力ログイン機能部（認証情報受付手段、手操作認証情報受付手段）３２は、上記操作表示部のキーを使用したり、専用のキーを用いて、ログインが許可されているユーザが、そのユーザに与えられている認証情報、例えば、ユーザＩＤを手操作で入力する。手入力ログイン機能部３２は、入力された認証情報を認証制御部３１に送って、認証要求する。
【００２４】
カードログイン機能部（認証情報受付手段、媒体認証情報受付手段）３３は、ログインが許可されているユーザの認証情報、例えば、ユーザＩＤが記録されているＩＤカードが挿入されると、該ＩＤカードから認証情報を読み取って、認証情報を認証制御部３１に送って、認証要求する。このカードログイン機能部３３は、ログイン中においては、ＩＣカードが挿入された状態を必要とする形態のものが好ましいが、該形態のものに限るものではない。
【００２５】
なお、認証制御部３１に認証要求するログイン機能部としては、上記２種類に限るものではなく、その他の方式で認証情報を取得して、認証制御部３１に認証要求する各種方式のものが接続されていてもよい。また、認証制御部３１は、画像処理装置１の本体、例えば、操作表示部等に設けられていてもよいし、外付けで接続されていてもよい。
【００２６】
認証制御部３１は、画像処理装置１内の不揮発性メモリに予めログインを許可するユーザとして複数のユーザの認証情報が登録されており、ログイン機能部３２、３３から認証情報が送られてきて認証要求があると、該認証要求のあった認証情報が、該不揮発性メモリに登録されている認証情報と一致するか否かに基づいて、ログインの許可／不許可を制御する。すなわち、認証制御部３１は、認証要求のあった認証情報が、該不揮発性メモリに登録されている認証情報と一致すると、ログインを許可して、該認証情報のユーザのログインを、Ｉ／Ｆ２０を通して、ログイン状態管理部１１に通知し、認証要求のあった認証情報が、該不揮発性メモリに登録されている認証情報と一致しないときには、ログインを不許可とする。
【００２７】
ログイン状態管理部１１は、認証制御部３１からログインの通知があると、先にログインしているユーザがログアウトしないままの状態でいるか判断し、先にログインしたユーザがログインしたままの状態であると、先にログインしているユーザのログアウト要請を、Ｉ／Ｆ２０を通して認証制御部３１に通知する。
【００２８】
そして、ログイン状態管理部１１は、１人のユーザにのみログイン状態を維持させ、各種動作権限、特に、操作表示部の操作権限を付与して、画像処理装置１の利用を可能とする。
【００２９】
なお、ログイン状態管理部１１は、例えば、認証制御部３１から該認証制御部３１によってログインが許可されたユーザの情報の通知を受け取って、該情報を管理する方法や、該認証制御部３１から該認証制御部３１によってログインが許可されたユーザの情報の通知を受け取ると、先にログインが許可されたユーザのログイン状態を検知する方法等によって、該ユーザのログイン状態を管理してもよい。すなわち、ログイン状態管理部１１は、各ユーザのログイン状態を管理し続ける必要はなく、少なくとも、ユーザのログインが認証制御部３１によって許可されたときに、該ユーザのログインが許可された時点で、先にログインが許可されたユーザがログイン状態のままでいるか否かを管理してもよい。
【００３０】
認証制御部３１は、ログイン状態管理部１１からログアウト要請があると、該ログアウト要請のあったユーザをログアウトする。
【００３１】
なお、画像処理装置１は、ログアウトさせたユーザが先に動作要求した動作処理、例えば、コピー処理等が完了していないときには、ログアウトを行っても、その動作処理を続行して、動作処理を完了させる。そして、画像処理装置１は、後からログインしたユーザが操作表示部を使用して動作要求した動作処理が、先のユーザの要求した動作処理であって動作中の動作処理と並行処理が可能な動作処理であると、並行して実行し、また、先にログインしたユーザから実行予約を受け付けていると、実行時期がくるまで、待機して、実行時期がくると、ログアウトした後であっても、待機させていた動作処理を実行する。
【００３２】
上記手入力ログイン機能部３２、カードログイン機能部３３、認証制御部３１及びログイン状態管理部１１は、全体として、ログイン管理部（ログイン管理装置）４０とし、画像処理装置１は、ログイン管理部４０を備えた画像処理装置となっている。
【００３３】
次に、本実施例の作用について説明する。本実施例の画像処理装置１は、複数のログインを許可するとともに、ログアウト忘れを防止する。
【００３４】
すなわち、画像処理装置１は、複数のユーザのログインを許可して、動作処理の受付や予約を受け付けるが、ユーザからのログインがあったときに、先にログインしているユーザのログインが継続していると、先にログインしているユーザをログアウトさせて、ログアウト忘れを防止する。特に、カードログイン機能部３３がログイン中においてはＩＤカードの挿入状態を要求する場合には、カードログイン機能部３３を利用したユーザは、ログアウトを忘れることは少ないが、先のユーザが手入力ログイン機能部３２からログインすると、動作予約や動作命令を操作した後は、ログアウトをすることを忘れて、画像処理装置から離れることがある。
【００３５】
そこで、画像処理装置１は、図２及び図３に示すように、ユーザがログインしてきた場合、先にログインしている状態のユーザが存在すると、先にログインしているユーザをログアウトさせて、ログアウト忘れを防止する。なお、以下の説明では、先に、手入力ログイン機能部３２からユーザがログインした後に、カードログイン機能部３３から他のユーザがログインする場合について説明するが、ログインの順番としては、上記順番に限るものではなく、例えば、先に手入力ログイン機能部３２からログインし、次に、同じく手入力ログイン機能部３２からログインしたり、先にカードログイン機能部３３からログインし、次にて入力ログイン機能部３２からログインする場合等であっても同様にログイン管理を行う。
【００３６】
すなわち、画像処理装置１は、ユーザが、手入力ログイン機能部３２から認証情報（図２、ず３では、ＩＤと記載。）が入力されると、認証制御部３１が認証処理を行って、該ユーザのログインが可能か判断し（ステップＳ１０２）、入力された認証情報が不正であってログインを不許可とするとき（ステップＳ１０２で、ＮＯのとき）には、ステップＳ１０１に戻って、再度、認証情報が入力されるのを待つ（ステップＳ１０１）。この場合、認証制御部３１は、Ｉ／Ｆ２０を介して動作制御部１１に、操作表示部のディスプレイへ、「正しいＩＤを入力してください。」等の正確な認証情報の入力を促すメッセージの表示（報知）を行わせてもよい。
【００３７】
認証制御部３１は、ステップＳ１０２で、入力された認証情報が適正であってログインを許可するとき（ステップＳ１０２で、ＹＥＳのとき）には、Ｉ／Ｆ２０を介してログイン状態管理部１１に、ユーザを指定したログイン通知を行い（ステップＳ１０３）、ログイン状態管理部１１は、先にログインしているユーザがいないか確認して、先にログインしているユーザがいないときには、該ユーザにログイン状態を維持させて、該ユーザによる操作表示部の操作や該操作表示部の操作に基づく動作処理を許可する。
【００３８】
そして、他のユーザが、カードログイン機能部３３にＩＤカードを挿入すると（ステップＳ１０４）、カードログイン機能部３３が該ＩＤカードから認証情報を読み取って、認証制御部３１が該認証情報が適正か否かによってログインが可能か判断し（ステップＳ１０５）、挿入されたＩＤカードの認証情報が不正、または、カードが不正であってログインを不許可とするとき（ステップＳ１０５で、ＮＯのとき）には、ステップＳ１０４に戻って、再度、ＩＤカードが挿入されるのを待つ（ステップＳ１０４）。この場合、認証制御部３１は、Ｉ／Ｆ２０を介して動作制御部１１に、操作表示部のディスプレイへ、「正しいＩＤカードを挿入してください。」等の正確な認証情報の入力を促すメッセージの表示を行わせてもよい。
【００３９】
認証制御部３１は、ステップＳ２０５で、挿入されたＩＤカードの認証情報が適正であってログインを許可するとき（ステップＳ１０５で、ＹＥＳのとき）には、Ｉ／Ｆ２０を介してログイン状態管理部１１に、ユーザを指定したログイン通知を行い、ログイン状態管理部１１が、ログイン状態管理部１１は、先にログインしているユーザがいないか確認する（ステップＳ１０６）。
【００４０】
ログイン状態管理部１１は、ステップＳ１０６で、先に上記手入力ログイン機能部３２からログインしているユーザがログアウトしておらず、ログイン状態が維持されているとき（ステップＳ１０６で、ＹＥＳのとき）には、先に手入力ログイン機能部３２からログインしているユーザをＩ／Ｆ２０を介して認証制御部３１にログアウトさせ（ステップＳ１０７）、後からログインしたユーザにログイン状態を維持させて、該ユーザによる操作表示部の操作や該操作表示部の操作に基づく動作処理を許可する（ステップＳ１０８）。
【００４１】
ステップＳ１０６で、先にログインしているユーザがいないときには、該ユーザにログイン状態を維持させて、該ユーザによる操作表示部の操作や該操作表示部の操作に基づく動作処理を許可する（ステップＳ１０８）。
【００４２】
すなわち、画像処理装置１は、図３に示すように、ユーザＵ１が、先に認証情報（ＩＤ）を手入力ログイン機能部３２等から入力すると（Ｓ１１）、認証制御部３１が適正な認証情報であると確認してログインを許可するときには、Ｉ／Ｆ２０を介してログイン状態管理部１１にログインを通知し（Ｓ１２、Ｓ１３）、ログイン状態管理部１１は、他のユーザのログイン状態を確認して、先にログインしているユーザがないと、該ユーザのログイン状態を維持させる。
【００４３】
次に、ユーザＵ２が、カードログイン機能部３３等から認証情報（ＩＤ）を入力すると（Ｓ２１）、認証制御部３１が適正な認証情報であると確認してログインを許可するときには、Ｉ／Ｆ２０を介してログイン状態管理部１１にログインを通知し（Ｓ２２、Ｓ２３）、ログイン状態管理部１１は、他のユーザのログイン状態を確認して、先にログインしているユーザがいると、Ｉ／Ｆ２０を介して、認証制御部３１に、先にログインしているユーザをログアウトさせ（Ｓ２５、Ｓ２６）、後からログインしたユーザにログイン状態を維持させて、該ユーザによる操作表示部の操作や該操作表示部の操作に基づく動作処理を許可する。
【００４４】
なお、上記説明では、カードログイン機能部３３が、ログイン中は、カードをカードログイン機能部３３に挿入した状態を維持させるものとして、先にログインしているのが手入力ログイン機能部３２からログインしたユーザで、後からログインするユーザが、該カードログイン機能部３３からログインするものとして説明しているが、このような場合に限るものではない。また、カードログイン機能部３３は、ログイン中は、カードをカードログイン機能部３３に挿入した状態を要求するものに限るものではなく、ログイン機能部も、上記２種類に限るものではない。
【００４５】
ログイン機能部としては、例えば、ＮＦＣ（Near Field Communications）等を用いた非接触近距離無線通信によってＩＤカードを読み取るログイン機能部等を用いたものであってもよく、ログインの順番も、先に、カードログイン機能部３３を利用したログインユーザがいて、その後に、手入力ログイン機能部３２やその他のログイン機能部を利用したログインがある場合にも、同様に適用することができる。
【００４６】
また、ログイン状態管理部１１は、先にログインしていたユーザをログアウトさせると、ログアウトさせた旨（ログイン状態を解除した旨）を操作表示部のディスプレイ（報知手段）に表示出力（報知出力）する等の方法で、その旨を報知出力してもよい。
【００４７】
このようにすると、ログイン状態のままのユーザがいて、ログアウトされたことをユーザに認識させることができ、利用性を向上させることができる。
【００４８】
さらに、画像処理装置１は、操作表示部等に、ログイン状態管理部１１による先にログインしているユーザをログアウトさせるログアウト機能の有効／無効を設定する設定キーやディスプレイに該ログアウト機能の有効／無効を設定する設定画面等の設定手段を備え、該設定手段で、ログアウト機能の有効が設定されているときにのみ、ログイン状態管理部１１が該ログアウト機能を実行してもよい。
【００４９】
このようにすると、複数のログイン状態を維持させて画像処理装置１を利用したい場合に、ログイン状態を維持することができ、利用性を向上させることができる。
【００５０】
このように、本実施例の画像処理装置１は、そのログイン管理部４０が、ユーザの認証情報の入力を受け付ける認証情報受付手段としての手入力ログイン機能部３２及びカードログイン機能部３３と、ログイン機能部３２、３３の受け付けた認証情報に基づいてログインを許可するか否かを制御する認証制御部（認証制御手段）３１と、認証制御部３１によるログインが許可されたユーザのログイン状態を管理し、該認証制御部３１によってログインを許可されたユーザよりも先にログインを許可されたユーザのログイン状態が継続している場合、先にログインを許可された該ユーザのログイン状態をログアウトさせるログイン状態管理部（ログイン状態管理手段）１１と、を備えている。
【００５１】
したがって、操作表示部の操作等のように単独のユーザに占有させる必要のある動作処理については、設定によって、先にログインしてログイン状態が継続指定ユーザをログアウトさせることで、利用性を向上させつつ、先にログインしたユーザのログアウトし忘れ等による不都合を防止することができる。
【００５２】
また、本実施例の画像処理装置１は、前記ログイン状態管理部１１が、認証制御部３１から該認証制御部３１によってログインが許可されたユーザの情報の通知を受け取って、該情報を管理する方法や、該認証制御部３１から該認証制御部３１によってログインが許可されたユーザの情報の通知を受け取ると、先にログインが許可されたユーザのログイン状態を検知する方法等によって、該ユーザのログイン状態を管理している。
【００５３】
したがって、ログインしたユーザを適宜にかつ適切に管理して、先にログインしてログイン状態が継続指定ユーザをログアウトさせることで、先にログインしたユーザのログアウトし忘れ等による不都合を防止することができる。
【００５４】
さらに、本実施例の画像処理装置１は、そのログイン管理部４０の前記認証情報受付手段が、認証情報が手操作で入力される手入力ログイン機能部（手操作認証情報受付手段）３２と、認証情報の記録されているＩＤカード（携帯記録媒体）から該認証情報を読み取るカードログイン機能部（媒体認証情報受付手段）３３と、を備えている。
【００５５】
したがって、入力方式の異なるログイン機能部３２、３３からのログインに対しても、複数のログインを許可することができるとともに、操作表示部の操作等のように単独のユーザに占有させる必要のある動作処理については、設定によって、先にログインしてログイン状態が継続指定ユーザをログアウトさせることで、利用性を向上させつつ、ログアウト忘れを防止することができる。
【００５６】
また、本実施例の画像処理装置１は、そのログイン管理部４０のカードログイン機能部３３が、認証情報の記録されているＩＤカードが挿入されると該認証情報を読み取り、認証制御部３１が、カードログイン機能部３３によるログインについては、ＩＤカードが該カードログイン機能部３３に挿入状態にある間のみ許可している。
【００５７】
したがって、ログアウトを忘れがちな、手入力ログイン機能部３２からのログアウト忘れを、ログアウト忘れを起こし難いカードログイン機能部３３からのログインによって適切に防止することができる。
【００５８】
さらに、本実施例の画像処理装置１は、前記ログイン管理装置は、先にログインしているユーザのログイン状態を解除すると、操作表示部（報知手段）から該ユーザのログイン状態を解除した旨を報知出力させる。
【００５９】
したがって、ログイン状態のままのユーザがいて、ログアウトされたことをユーザに認識させることができ、利用性を向上させることができる。
【００６０】
また、本実施例の画像処理装置１は、ログイン状態管理部１１による先にログインしているユーザをログアウトさせるログアウト機能の有効／無効を設定する操作表示部（設定手段）を備えており、該ログイン状態管理部１１が、操作表示部で前記ログアウト機能が有効に設定されているときにのみ、該ログアウト機能を実行する。
【００６１】
したがって、複数のログイン状態を維持させて画像処理装置１を利用したい場合に、ログイン状態を維持することができ、利用性を向上させることができる。
【００６２】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００６３】
１  画像処理装置
１０  動作制御部
１１  ログイン状態管理部
２０  Ｉ／Ｆ
３０  認証部
３１  認証制御部
３２  手入力ログイン機能部
３３  カードログイン機能部
【先行技術文献】
【特許文献】
【００６４】
【特許文献１】特許４５９８１４５号公報
【図１】
2014059721.tif 000003
【図２】
2014059721.tif 000004
【図３】
2014059721.tif 000005